【手続補正書】
【提出日】平成15年12月8日(2003.12.8)
【手続補正１】
【補正対象書類名】明細書
【補正対象項目名】特許請求の範囲
【補正方法】変更
【補正の内容】
【特許請求の範囲】
【請求項１】
光源手段から出射された光束を偏向素子で偏向させた後、走査光学手段と反射手段とにより被走査面上に導光し、該光束で該被走査面上を走査する走査光学装置において、
該走査光学手段は少なくとも第１の走査光学素子と第２の走査光学素子とを含み、
該反射手段は該第１の走査光学素子と該第２の走査光学素子の間の光路内に配置され、
副走査断面内において、該第１の走査光学素子の前側焦点位置が該偏向素子の偏向面にあり、該第２の走査光学素子の後側焦点位置が該被走査面にあることを特徴とする走査光学装置。
【請求項２】
光源手段から出射された光束を偏向素子で偏向させた後、走査光学手段と反射手段とにより被走査面上に導光し、該光束で該被走査面上を走査する走査光学装置において、
該走査光学手段は少なくとも第１の走査光学素子と第２の走査光学素子とを含み、
該反射手段は該第１の走査光学素子と該第２の走査光学素子の間の光路内に配置され、
副走査断面内において該第１の走査光学素子の後側焦点距離をｆ4s、該第２の走査光学素子の後側主平面から被走査面までの距離をｈ4sとしたとき、
０．５＜ｈ4s／ｆ4s＜２．０
なる条件を満足することを特徴とする走査光学装置。
【請求項３】
光源手段から出射された光束を偏向素子で偏向させた後、走査光学手段と反射手段とにより被走査面上に導光し、該光束で該被走査面上を走査する走査光学装置において、
該走査光学手段は少なくとも第１の走査光学素子と第２の走査光学素子とを含み、
該反射手段は該第１の走査光学素子と該第２の走査光学素子の間の光路内に配置され、
該反射手段に入射する光束が副走査断面内において略平行光束としていることを特徴とする走査光学装置。
【請求項４】
前記走査光学手段は副走査断面内において前記偏向素子の偏向面と前記被走査面とを略共役関係としていることを特徴とする請求項１、２又は３に記載の走査光学装置。
【請求項５】
前記第２の走査光学素子はプラスチック材料で製作されていることを特徴とする請求項１乃至４のいずれか１項に記載の走査光学装置。
【請求項６】
前記第２の走査光学素子の少なくとも一面は回折面であることを特徴とする請求項１乃至５のいずれか１項に記載の走査光学装置。
【請求項７】
前記反射手段は姿勢調整が可能であることを特徴とする請求項１乃至６のいずれか１項に記載の走査光学装置。
【請求項８】
前記光源手段はマルチビーム半導体レーザーであることを特徴とする請求項１乃至７のいずれか１項に記載の走査光学装置。
【請求項９】
前記第１の走査光学素子はトーリックレンズであることを特徴とする請求項１乃至８のいずれか１項に記載の走査光学装置。
【請求項１０】
前記請求項１乃至９のいずれか１項記載の走査光学装置と、それに対応する像担持体との組を複数有し、各走査光学装置から出射された光束を各々対応する像担持体面上に導光し、該光束で該像担持体面上を走査して、該像担持体面に異なった色光の画像を形成し、該複数の像担持体面上に形成した画像よりカラー画像を形成することを特徴とするカラー画像形成装置。
【請求項１１】
前記請求項１乃至９のいずれか１項記載の走査光学装置と、それに対応する像担持体を有することを特徴とする画像形成装置。
【手続補正２】
【補正対象書類名】明細書
【補正対象項目名】０００９
【補正方法】変更
【補正の内容】
【０００９】
【課題を解決するための手段】
請求項１の発明の走査光学装置は、
光源手段から出射された光束を偏向素子で偏向させた後、走査光学手段と反射手段とにより被走査面上に導光し、該光束で該被走査面上を走査する走査光学装置において、
該走査光学手段は少なくとも第１の走査光学素子と第２の走査光学素子とを含み、
該反射手段は該第１の走査光学素子と該第２の走査光学素子の間の光路内に配置され、
副走査断面内において、該第１の走査光学素子の前側焦点位置が該偏向素子の偏向面にあり、該第２の走査光学素子の後側焦点位置が該被走査面にあることを特徴としている。


【手続補正３】
【補正対象書類名】明細書
【補正対象項目名】００１０
【補正方法】変更
【補正の内容】
【００１０】
請求項２の発明の走査光学装置は、
光源手段から出射された光束を偏向素子で偏向させた後、走査光学手段と反射手段とにより被走査面上に導光し、該光束で該被走査面上を走査する走査光学装置において、
該走査光学手段は少なくとも第１の走査光学素子と第２の走査光学素子とを含み、
該反射手段は該第１の走査光学素子と該第２の走査光学素子の間の光路内に配置され、
副走査断面内において該第１の走査光学素子の後側焦点距離をｆ4s、該第２の走査光学素子の後側主平面から被走査面までの距離をｈ4sとしたとき、
０．５＜ｈ4s／ｆ4s＜２．０
なる条件を満足することを特徴としている。


【手続補正４】
【補正対象書類名】明細書
【補正対象項目名】００１１
【補正方法】変更
【補正の内容】
【００１１】
請求項３の発明の走査光学装置は、
光源手段から出射された光束を偏向素子で偏向させた後、走査光学手段と反射手段とにより被走査面上に導光し、該光束で該被走査面上を走査する走査光学装置において、
該走査光学手段は少なくとも第１の走査光学素子と第２の走査光学素子とを含み、
該反射手段は該第１の走査光学素子と該第２の走査光学素子の間の光路内に配置され、
該反射手段に入射する光束が副走査断面内において略平行光束としていることを特徴としている。


【手続補正５】
【補正対象書類名】明細書
【補正対象項目名】００１２
【補正方法】変更
【補正の内容】
【００１２】
請求項４の発明は請求項１、２又は３の発明において、
前記走査光学手段は副走査断面内において前記偏向素子の偏向面と前記被走査面とを略共役関係としていることを特徴としている。


【手続補正６】
【補正対象書類名】明細書
【補正対象項目名】００１３
【補正方法】変更
【補正の内容】
【００１３】
請求項５の発明は請求項１乃至４のいずれか１項の発明において、
前記第２の走査光学素子はプラスチック材料で製作されていることを特徴としている。


【手続補正７】
【補正対象書類名】明細書
【補正対象項目名】００１４
【補正方法】変更
【補正の内容】
【００１４】
請求項６の発明は請求項１乃至５のいずれか１項の発明において、
前記第２の走査光学素子の少なくとも一面は回折面であることを特徴としている。


【手続補正８】
【補正対象書類名】明細書
【補正対象項目名】００１５
【補正方法】変更
【補正の内容】
【００１５】
請求項７の発明は請求項１乃至６のいずれか１項の発明において、
前記反射手段は姿勢調整が可能であることを特徴としている。


【手続補正９】
【補正対象書類名】明細書
【補正対象項目名】００１６
【補正方法】変更
【補正の内容】
【００１６】
請求項８の発明は請求項１乃至７のいずれか１項の発明において、
前記光源手段はマルチビーム半導体レーザーであることを特徴としている。


【手続補正１０】
【補正対象書類名】明細書
【補正対象項目名】００１７
【補正方法】変更
【補正の内容】
【００１７】
請求項９の発明は請求項１乃至８のいずれか１項の発明において、
前記第１の走査光学素子はトーリックレンズであることを特徴としている。


【手続補正１１】
【補正対象書類名】明細書
【補正対象項目名】００１８
【補正方法】変更
【補正の内容】
【００１８】
請求項１０の発明のカラー画像形成装置は、
前記請求項１乃至９のいずれか１項記載の走査光学装置と、それに対応する像担持体との組を複数有し、各走査光学装置から出射された光束を各々対応する像担持体面上に導光し、該光束で該像担持体面上を走査して、該像担持体面に異なった色光の画像を形成し、該複数の像担持体面上に形成した画像よりカラー画像を形成することを特徴としている。


【手続補正１２】
【補正対象書類名】明細書
【補正対象項目名】００１９
【補正方法】変更
【補正の内容】
【００１９】
請求項１１の発明の画像形成装置は、
前記請求項１乃至９のいずれか１項記載の走査光学装置と、それに対応する像担持体を有することを特徴としている。


【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００３０
【補正方法】変更
【補正の内容】
【００３０】
図１、図２において１は光源手段であり、例えば半導体レーザーより成っている。２はコリメーターレンズであり、光源手段１から出射された発散光束を略平行光束に変換している。３は開口絞りであり、通過光束（光量）を制限している。４はシリンドリカルレンズ（シリンダーレンズ）であり、副走査方向にのみ所定の屈折力を有しており、開口絞り３を通過した光束を副走査断面内で後述する光偏向器５の偏向面（反射面）５ａにほぼ線像として結像させている。


【手続補正２３】
【補正対象書類名】明細書
【補正対象項目名】００３２
【補正方法】変更
【補正の内容】
【００３２】
６はｆθ特性を有する走査光学手段であり、第１の光学素子としての屈折素子６１と第２の光学素子としての回折素子６２とを有している。屈折素子６１は主走査方向と副走査方向とで互いに異なるパワーを有する単一のプラスチック製のトーリックレンズより成り、該トーリックレンズ６１の主走査方向の両レンズ面６１ａ，６１ｂと副走査方向の出射側の面６１ｂは各々非球面形状より成っている。


【手続補正２４】
【補正対象書類名】明細書
【補正対象項目名】図面の簡単な説明
【補正方法】変更
【補正の内容】
【図面の簡単な説明】
【図１】本発明の実施形態１の走査光学装置を画像形成装置に用いたときの主走査方向の要部断面図
【図２】図１の副走査方向の要部断面図
【図３】本発明の実施形態１における走査光学装置の折返しミラーの単位振動振幅量当たりの振動による走査線ずれを示す説明図
【図４】本発明の実施形態２の走査光学装置を画像形成装置に用いたときの副走査方向の要部断面図
【図５】本発明の実施形態２における走査光学装置の折返しミラーの単位振動振幅量当たりの振動による走査線ずれを示す説明図
【図６】本発明の実施形態３の走査光学装置を画像形成装置に用いたときの副走査方向の要部断面図
【図７】本発明の実施形態３における走査光学装置の折返しミラーの単位振動振幅量当たりの振動による走査線ずれを示す説明図
【図８】本発明のカラー画像形成装置の要部概略図
【図９】従来の走査光学装置の要部概略図
【図１０】従来の走査光学装置の副走査方向の要部断面図
【符号の説明】
１    光源手段（半導体レーザー）
２    コリメーターレンズ
３    開口絞り
４    シリンドリカルレンズ
５    偏向素子（ポリゴンミラー）
６    走査光学手段（ｆθレンズ系）
６１  第１の光学素子（トーリックレンズ）
６２  第２の光学素子（長尺回折素子）
６３  回折格子
７    反射手段（折返しミラー）
８    被走査面（像担持体面）